(57)【特許請求の範囲】
【請求項１】
折り畳み予定線を介して連接された第１から第４の用紙部を有し、Ｗ折りされて葉書になる葉書帳票であって、
第１から第４の用紙部は、各表面又は各裏面のうちいずれか一方の面に感圧接着層を有し、
前記第１用紙部は、表面の全面に、前記第２用紙部に接着される第１感圧接着層を有し、裏面に、接着材が塗布されておらず、
前記第２用紙部及び前記第３用紙部は、裏面の全面に、互いに接着する第２感圧接着層及び第３感圧接着層を有し、表面に、接着材が塗布されておらず、
前記第４用紙部は、表面の全面に、前記第３用紙部に接着される第４感圧接着層を有し、裏面に、接着材が塗布されておらず、
前記第１から第４用紙部は、表面に印刷印字層を有し、
前記第１から第３用紙部は、平面視が同等の大きさであり、
前記第４用紙部は、平面視が前記第１から第３用紙部よりも小さく、
前記第１から第４感圧接着層は、同一の感圧接着剤が塗布されることにより形成され、この葉書帳票が前記Ｗ折りにされ圧力がかけられることにより、前記第１用紙部の前記第１感圧接着層及び前記第２用紙部の表面が接着され、前記第１用紙部の前記第１感圧接着層及び前記第２用紙部の表面の接着力と同等の接着力によって、前記第４用紙部の前記第４感圧接着層及び前記第３用紙部の表面が接着され、前記第１用紙部の前記第１感圧接着層及び前記第２用紙部の表面の接着力よりも強い接着力によって、前記第２用紙部の前記第２感圧接着層及び前記第３用紙部の前記第３感圧接着層が接着されること、
を特徴とする葉書帳票。
【請求項２】
請求項１に記載の葉書帳票において、
前記第１感圧接着層及び前記第４感圧接着層は、印刷印字層の上に形成されていること
を特徴とする葉書帳票。
【請求項３】
請求項１又は請求項２に記載の葉書帳票において、
前記各感圧接着層は、ガラス転移温度（Ｔｇ）が常温以下の熱可塑性樹脂を主成分とし、塗工面での存在粒径が２０μｍ以下の顔料を含んだ接着剤が塗布されて形成されていること
を特徴とする葉書帳票。
【請求項４】
請求項１から請求項３までのいずれか１項に記載の葉書帳票で作製される葉書であって、
前記第１用紙部及び前記第２用紙部の表面同士が剥離可能に接着され、前記第２用紙部及び前記第３用紙部の裏面同士が剥離不能に接着され、前記第３用紙部及び前記第４用紙部の表面同士が剥離可能に接着されていること
を特徴とする葉書。
【請求項５】
請求項１から請求項３までのいずれか１項に記載の葉書帳票を連接する葉書帳票シートであって、
前記葉書帳票が切り離し予定線を介して天地方向に２枚連接され、ほぼＡ３サイズの大きさであること
を特徴とする葉書帳票シート。
【発明の詳細な説明】
【０００１】
【発明の属する技術分野】
本発明は、広い情報表示領域を有し、ダイレクトメール等に好適な葉書帳票、葉書及び葉書帳票シートに関するものである。
【０００２】
【従来の技術】
従来より、接着剤塗布面同士では、剥離不能に強接着し、非塗布面との間では、剥離可能に擬似接着する特殊な感圧接着剤が、両面略全面に塗布されたＡ３サイズカット紙のＷ折り式親展葉書帳票シートがある。
【０００３】
【発明が解決しようとする課題】
しかし、前述した従来の葉書帳票シートは、Ａ３カット紙として仕上げるために、巻癖カールをデカーラをかけて取り除かなければならない。ところが、デカーラをかけると、一緒に表面の接着剤も削り落としてしまって、削りカスが堆積してしまう。
また、両面略全面に特殊接着剤が塗布されているので、保管時やスタック時にブロッキングしやすく、また、接着剤同士の摩擦係数が大きいため、フィード不良も生じやすい。
さらに、現行の郵便規則では、葉書本体の重量が２ｇ以上で、かつ、葉書全体の重量が６ｇ未満でならなければならないと定められているが、その郵便規則を厳守するために、略全面に接着剤を塗布するタイプでは、ベース用紙の坪量や、接着剤の塗布量を厳しく管理することが必要であり、管理コストがかかる。
【０００４】
本発明の課題は、保管時やスタック時にブロッキングしにくく、また、フィード不良を生じにくい、安価な葉書帳票、葉書及び葉書帳票シートを提供することである。
【０００５】
【課題を解決するための手段】
本発明は、以下のような解決手段により、前記課題を解決する。なお、理解を容易にするために、本発明の実施形態に対応する符号を付して説明するが、これに限定されるものではない。前記課題を解決するために、折り畳み予定線（ｂ１〜ｂ３）を介して連接された第１から第４の用紙部を有し、Ｗ折りされて葉書になる葉書帳票であって、第１から第４の用紙部は、各表面又は各裏面のうちいずれか一方の面に感圧接着層を有し、前記第１用紙部（１１）は、表面の全面に、前記第２用紙部（１２）に接着される第１感圧接着層（１１ａ）を有し、裏面に、接着材が塗布されておらず、前記第２用紙部（１２）及び前記第３用紙部（１３）は、裏面の全面に、互いに接着する第２感圧接着層（１２ａ）及び第３感圧接着層（１３ａ）を有し、表面に、接着材が塗布されておらず、前記第４用紙部（１４）は、表面の全面に、前記第３用紙部（１３）に接着される第４感圧接着層（１４ａ）を有し、裏面に、接着材が塗布されておらず、前記第１から第４用紙部は、表面に印刷印字層を有し、前記第１から第３用紙部は、平面視が同等の大きさであり、前記第４用紙部は、平面視が前記第１から第３用紙部よりも小さく、前記第１から第４感圧接着層は、同一の感圧接着剤が塗布されることにより形成され、この葉書帳票が前記Ｗ折りにされ圧力がかけられることにより、前記第１用紙部の前記第１感圧接着層及び前記第２用紙部の表面が接着され、前記第１用紙部の前記第１感圧接着層及び前記第２用紙部の表面の接着力と同等の接着力によって、前記第４用紙部の前記第４感圧接着層及び前記第３用紙部の表面が接着され、前記第１用紙部の前記第１感圧接着層及び前記第２用紙部の表面の接着力よりも強い接着力によって、前記第２用紙部の前記第２感圧接着層及び前記第３用紙部の前記第３感圧接着層が接着されること、を特徴とする葉書帳票である。
【０００６】
請求項２の発明は、請求項１に記載の葉書帳票において、前記第１感圧接着層（１１ａ）及び前記第４感圧接着層（１４ａ）は、印刷印字層（１１ｂ，１４ｃ）の上に形成されていることを特徴とする葉書帳票である。
【０００７】
請求項３の発明は、請求項１又は請求項２に記載の葉書帳票において、前記各感圧接着層（１１ａ〜１４ａ）は、ガラス転移温度（Ｔｇ）が常温以下の熱可塑性樹脂を主成分とし、塗工面での存在粒径が２０μｍ以下の顔料を含んだ接着剤が塗布されて形成されていることを特徴とする葉書帳票である。
【０００８】
請求項４の発明は、請求項１から請求項３までのいずれか１項に記載の葉書帳票で作製される葉書であって、前記第１用紙部（１１）及び前記第２用紙部（１２）の表面同士が剥離可能に接着され、前記第２用紙部（１２）及び前記第３用紙部（１３）の裏面同士が剥離不能に接着され、前記第３用紙部（１３）及び前記第４用紙部（１４）の表面同士が剥離可能に接着されていることを特徴とする葉書である。
【０００９】
請求項５の発明は、請求項１から請求項３までのいずれか１項に記載の葉書帳票を連接する葉書帳票シートであって、前記葉書帳票が切り離し予定線を介して天地方向に２枚連接され、ほぼＡ３サイズの大きさであることを特徴とする葉書帳票シートである。
【００１０】
【発明の実施の形態】
以下、図面等を参照して、本発明の実施の形態について、さらに詳しく説明する。
（第１実施形態）
図１は、本発明による葉書帳票シートの第１実施形態を示す図であり、図１（Ａ）は表面図、図１（Ｂ）は断面図、図１（Ｃ）は裏面図である
葉書帳票シート１は、切り離し予定線ａを介して連接された２枚の葉書帳票１０を備えており、大きさは、Ａ３サイズ（ＪＩＳ  Ｐ  ０１３８）である。葉書帳票１０は、折り畳み予定線ｂ１〜ｂ３を介して連接された第１から第４の用紙部１１〜１４を備える。
【００１１】
第１用紙部１１は、表面に、感圧接着剤が塗布された第１接着層１１ａを有し、折り畳み予定線ｂ１で折り畳まれると、この第１接着層１１ａで、第２用紙部１２の表面に剥離可能に擬似接着する。
この感圧接着剤は、例えば、酢酸ビニル共重合体、エチレン−酢酸ビニル共重合体、ポリウレタン、ポリエチレン，ポリプロピレン，ポリブチレン等のオレフィン系（共）重合体、ポリスチレン、ポリビニルブチラール、塩化ビニル−酢酸ビニル共重合体、アクリル樹脂、セルロース樹脂などのようにガラス転移温度（Ｔｇ）が常温以下（特に、−２０℃以下が望ましい。）の熱可塑性樹脂を主成分として、塗工面での存在粒径が２０μｍ以下の顔料を含んだものが、特に、好適である。このような感圧接着剤が塗布された面は、塗布面同士が重ね合わされてプレスされると、剥離不能に強接着し、また、感圧接着剤が塗布されていない通常の用紙面に重ね合わされてプレスされると、剥離可能に擬似接着する。
【００１２】
第２用紙部１２は、裏面に、上述の感圧接着剤が塗布された第２接着層１２ａを有する。一方、第２用紙部１２の表面には、接着剤等は、塗布されていない。
【００１３】
第３用紙部１３は、裏面に、上述の感圧接着剤が塗布された第３接着層１３ａを有し、折り畳み予定線ｂ２で折り畳まれると、その第３接着層１３ａが第２用紙部１２の裏面の第２接着層１２ａに剥離不能に強接着する。
第３用紙部１３は、表面に、折り畳み予定線ｂ２に沿って、「郵便葉書」の文字１３ｂが印刷されている。なお、第３用紙部１３の表面には、接着剤等は、塗布されていない。
【００１４】
第４用紙部１４は、表面に、上述の感圧接着剤が塗布された第４接着層１４ａを有し、折り畳み予定線ｂ３で折り畳まれると、その第４接着層１４ａが第３用紙部１３の裏面に剥離可能に擬似接着する。
また、第４用紙部１４は、裏面に、宛名面１４ｂが印刷されている。
第４用紙部１４の幅Ｗ１は、第３用紙部１３の幅Ｗよりも小さく、折り畳んで、葉書を作製したときに、「郵便葉書」の文字１３ｂが目視可能である。
なお、第１用紙部１１及び第２用紙部１２の幅は、第３用紙部１３と同じである。
【００１５】
図２は、葉書帳票の使用方法を示す図である。
葉書発送者は、葉書帳票１０を折り畳み予定線ｂ１〜ｂ３でＷ折りし、第１用紙部１１の表面を第２用紙部１２の表面に合わせ、第２用紙部１２の裏面を第３用紙部１３の裏面に合わせ、第３用紙部１３の表面を第４用紙部１４の表面に合わせ、その状態でプレスして、第１接着層１１ａによって、第１用紙部１１の表面と第２用紙部１２の表面とを剥離可能に擬似接着し、第２接着層１２ａ及び第３接着層１３ａによって、第２用紙部１２の裏面と第３用紙部１３の裏面とを剥離不能に強接着し、第４接着層１４ａによって、第３用紙部１３の表面と第４用紙部１４の表面とを剥離可能に擬似接着して、葉書を完成させて、発送する。
葉書受取人は、第１用紙部１１を第２用紙部１２から剥がし、第４用紙部１４を第３用紙部１３から剥がして、記載内容を確認する。
【００１６】
本実施形態によれば、従来タイプに比べて、接着剤の塗布量をほぼ半減させることができ、安価である。
また、接着剤の塗布量が少ないので、塗布量にバラツキによる影響が少なく、厳しく管理しなくてもよい。
さらに、積み重ねたときに接着剤塗布部分同士を接触させないので、ブロッキングやフィード不良を生じない。
さらにまた、接着剤が塗布されない部分にデカーラをかけることで、削りカスを発生させない。
【００１７】
（第２実施形態）
図３は、本発明による葉書帳票シートの第２実施形態を示す図であり、図３（Ａ）は表面図、図３（Ｂ）は断面図、図３（Ｃ）は裏面図である
なお、前述した第１実施形態と同様の機能を果たす部分には、同一の符号を付して、重複する説明を適宜省略する。
第１用紙部１１から第４用紙部１４の表面には、受取人全員に共通する宣伝広告等の固定情報ｃ１や、受取人の氏名など、受取人によって異なる可変情報ｃ２を表示する情報表示層１１ｂ，１２ｂ，１３ｃ，１４ｃが、オフセット方式、グラビア方式、フレキソ方式、電子写真方式等の既存の印刷及び／又は印字方式で設けられており、その情報表示層１１ｂ，１４ｃの上に、上述した感圧接着剤が塗布されて第１接着層１１ａ及び第４接着層１４ａが形成されている。
【００１８】
本実施形態によれば、情報表示層１１ｂ，１４ｃの上に第１接着層１１ａ及び第４接着層１４ａが設けられているので、第１用紙部１１及び第４用紙部１４をめくって剥がすときに一緒に情報表示層１１ｂ，１４ｃが剥がれてしまうことを防止できる。
【００１９】
（変形形態）
以上説明した実施形態に限定されることなく、種々の変形や変更が可能であって、それらも本発明の均等の範囲内である。
例えば、各接着層１１ａ〜１４ａに塗布する接着剤は、天然ゴム系や合成ゴム系（ＳＢＲ、ＮＢＲ、ＣＲ等）を使用してもよい。
【００２０】
【発明の効果】
以上詳しく説明したように、請求項１の発明によれば、第１の用紙部及び第４の用紙部は、表面に、接着層を有し、第２の用紙部及び第３の用紙部は、裏面に、接着層を有する葉書帳票であるので、従来タイプに比べて、接着剤の塗布量をほぼ半減させることができ、また、積み重ねたときに接着層同士を接触させず、さらに、デカーラをかけても、削りカスを発生させない。
【００２１】
請求項２の発明によれば、各接着層は、各用紙部の印刷印字層の上に形成されているので、各用紙部をめくって剥がすときに一緒に印刷印字層が剥がれてしまわない。
【００２２】
請求項３の発明によれば、各接着層は、ガラス転移温度（Ｔｇ）が常温以下の熱可塑性樹脂を主成分とし、塗工面での存在粒径が２０μｍ以下の顔料を含んだ接着剤が塗布されて形成されているので、接着剤塗布面同士では、剥離不能に強接着し、非塗布面との間では、剥離可能に擬似接着する。
【００２３】
請求項４の発明によれば、第１用紙部及び第２用紙部の表面同士が剥離可能に接着され、第２用紙部及び第３用紙部の裏面同士が剥離不能に接着され、第３用紙部及び第４用紙部の表面同士が剥離可能に接着されている葉書であるので、郵送料金が安価で、かつ、多くの情報を伝達することができる。
【００２４】
請求項５の発明によれば、葉書帳票が切り離し予定線を介して天地方向に２枚連接され、ほぼＡ３サイズの大きさの葉書帳票シートであるので、葉書を製造しやすい。
【図面の簡単な説明】
【図１】本発明による葉書帳票シートの第１実施形態を示す図である。
【図２】葉書帳票の使用方法を示す図である。
【図３】本発明による葉書帳票シートの第２実施形態を示す図である。
【符号の説明】
１  葉書帳票シート
ａ  切り離し予定線
ｂ１〜ｂ３  折り畳み予定線
１０  葉書帳票
１１〜１４  第１〜第４の用紙部
１１ａ〜１４ａ  第１〜第４の接着層
１１ｂ，１２ｂ，１３ｃ，１４ｃ  情報表示層
【図１】
0004451548.tif 000002
【図２】
0004451548.tif 000003
【図３】
0004451548.tif 000004